(57)【要約】【課題】洗顔方法が選択できる洗顔器を提供する。【解決手段】上面が開口したボウル部３ａを有する洗浄水受け３と、洗浄水受けの下部に設置された上面が開口する水タンク４と、ボウル部内に設置され、かつ上面に洗浄水をシャワー状に噴出する複数の噴出孔５ｃが穿設された環状部５ａ及び環状部に洗浄水を給水する給水路５ｂとからなる噴射ノズル５と、環状部に着脱自在に設けられ、かつ給水路より給水された洗浄水を溜めることができる洗面器６と、水タンク内に溜められた洗浄水を吸入し、洗浄水中にマイクロバブルを混入させた後洗浄水を洗浄水吐出口２ａより吐出するマイクロバブル発生装置２と、給水路に設けられた接続口５ｅと洗浄水吐出口との間を着脱自在に接続するワンタッチジョイント１２とから構成した。【選択図】図１
2012019825.tif 000002
【特許請求の範囲】
【請求項１】
マイクロバブルを含んだ洗浄水により洗顔する洗顔器であって、上面が開口したボウル部を有する洗浄水受けと、前記洗浄水受けの下部に設置された上面が開口する水タンクと、前記ボウル部内に設置され、かつ上面に洗浄水をシャワー状に噴出する複数の噴出孔が穿設された環状部及び前記環状部に洗浄水を給水する給水路とからなる噴射ノズルと、前記環状部に着脱自在に設けられ、かつ前記給水路より給水された洗浄水を溜めることができる洗面器と、前記水タンク内に溜められた洗浄水を吸入し、前記洗浄水中にマイクロバブルを混入させた後洗浄水を洗浄水吐出口より吐出するマイクロバブル発生装置と、前記給水路に設けられた前記接続口と前記洗浄水吐出口との間を着脱自在に接続するワンタッチジョイントとを具備したことを特徴とする洗顔器。
【請求項２】
前記ワンタッチジョイントと前記給水路に設けられた前記接続口との間に、洗浄水中のマイクロバブルをさらに細径化するマイクロバブル発生手段を設けてなる請求項１に記載の洗顔器。
【請求項３】
前記マイクロバブル発生装置の洗浄水吐出口に、前記ワンタッチジョイントを介してシャワーヘッドを着脱自在に接続できるようにしてなる請求項１または２に記載の洗顔器。
【請求項４】
前記ワンタッチジョイントを介して前記マイクロバブル発生装置に接続された噴射ノズルの自重や洗面器に溜められた洗浄水の重量、または前記シャワーヘッドの自重により前記ワンタッチジョイントを中心に前記噴射ノズルや洗面器、前記シャワーヘッドが回転するのを阻止するブラケットを前記ワンタッチジョイントの近傍に設けてなる請求項１ないし３の何れかに記載の洗顔器。
【発明の詳細な説明】
【技術分野】
【０００１】
本発明は、洗顔方法が選択できる洗顔器に関する。
【背景技術】
【０００２】
従来この種の洗顔器としては、例えば特許文献１ないし３等に記載されたものが公知である。
特許文献１に記載の洗顔器は、洗浄水を満たした合成樹脂等の容器の底部に設けた気泡発生用フィルタに高圧空気を送って気泡を発生させ、得られた気泡流を気泡細径化装置に送って気泡をさらに小さくし、この気泡流に顔を浸して皮膚の汚れを取り去るように構成されており、洗顔により汚れた洗浄水は、容器内に設けた濾過装置によって汚れを濾過した後、清浄な洗浄水を気泡流として循環させるようになっている。
【０００３】
また引用文献２に記載の洗顔器は、すり鉢状の凹部を形成する底面の周囲に設けられた複数の段差を有する階段状の内壁面と、各階段の上面を形成する噴水面に設けられた複数の噴出穴から鉛直上向きに水を噴出するシャワー部と、シャワー部に供給するための水をためておく貯水部と、シャワー部と貯水部とを連通し、貯水部からシャワー部へ供給水を供給する水供給部と、貯水部に収納されている水をシャワー部に送る動力部と、シャワー部から噴出した水を受け止めて再び貯水部に送り込む水受け器とから構成されている。
そしてシャワー部から噴出される水で洗顔を行うようになっており、特にシャワー部の中心部からは水が噴出されないため、鼻で呼吸しながら洗顔が行える等の効果を有する。
【０００４】
一方特許文献３に記載の洗顔器は、着脱自在なタンクに洗浄液を満たし、タンクの底部から洗浄液を二流体ノズルに導き、ノズルの内部で空気と洗浄液とを混合してノズルの先端から噴射し、その噴射液に皮膚を浸して汚れを取り、汚れた洗浄液はドレンとして容器の底部に貯め、ドレンコックの開閉によってドレン受容器に取り出し、洗浄液の皮膚への再付着を回避することにより清掃性と使用性の向上を図るようになっている。
【先行技術文献】
【特許文献】
【０００５】
【特許文献１】特開平９−１３５８７５号公報
【特許文献２】特開平９−１７３４０７号公報
【特許文献３】特開平９−２５３１５４号公報
【発明の概要】
【発明が解決しようとする課題】
【０００６】
しかし前記特許文献１ないし３に記載の洗顔器では、次のような問題がある。
この種の洗顔器を使用する人の多くは女性であり、女性が洗顔器を使用する理由としては、皮膚の汚れ落としの他にメイク落としがある。
メイク落としの方法としては、クレンジングクリーム等を使用して顔全体のメイクを全て落とした後洗顔する方法が一般的であるが、メイクの一部、例えばクレンジングクリームを使用して目の周りのメイクや口紅を落とす等の部分メイク落しもよく行われる。
【０００７】
しかし前記特許文献１に記載の洗顔器のように、顔全体を予め容器内に溜められた洗浄水に浸漬して洗顔するものや、特許文献２及び３に記載の洗顔器のように、シャワー状に噴出させた洗浄水を顔に吹き付けて顔全体を洗浄するものでは、顔の一部を局部的に洗浄することができないため、目や周りのメイクや口紅をクレンジングした後、落としたメイクや口紅を洗浄する等の洗顔方法が採用できない問題がある。
本発明はかかる従来の問題を改善するためになされたもので、洗顔方法が選択できる洗顔器を提供することを目的とするものである。
【課題を解決するための手段】
【０００８】
本発明の洗顔器は、マイクロバブルを含んだ洗浄水により洗顔する洗顔器であって、上面が開口したボウル部を有する洗浄水受けと、洗浄水受けの下部に設置された上面が開口する水タンクと、ボウル部内に設置され、かつ上面に洗浄水をシャワー状に噴出する複数の噴出孔が穿設された環状部及び環状部に洗浄水を給水する給水路とからなる噴射ノズルと、環状部に着脱自在に設けられ、かつ給水路より給水された洗浄水を溜めることができる洗面器と、水タンク内に溜められた洗浄水を吸入し、洗浄水中にマイクロバブルを混入させた後洗浄水を洗浄水吐出口より吐出するマイクロバブル発生装置と、給水路に設けられた接続口と洗浄水吐出口との間を着脱自在に接続するワンタッチジョイントとから構成したものである。
【０００９】
前記構成により、例えばクレンジングクリームを使用して顔全体のメイクを全て落とした後シャワーで洗顔したり、洗面器に溜めた洗浄水に顔を浸漬して洗顔する等、使用者の好みや目的に応じた洗顔方法が自由に選択できる。
またシャワー状に噴出される洗浄水によるマッサージ作用により美容効果が得られると共に、環状部より噴出される洗浄水は直接鼻付近に当たることがないことから、洗顔中に呼吸が妨げられることがないため連続的に洗顔することができ、これによって洗顔時間の短縮が図れるようになる。
さらに顔全体を洗顔した洗浄水は、水タンク内へ回収された後再びマイクロバブル発生装置へと吸入されて繰り返し洗顔に利用することができ、洗浄水が無駄に消費されることがないため経済的である。
【００１０】
本発明の洗顔器は、ワンタッチジョイントと給水路に設けられた接続口との間に、洗浄水中のマイクロバブルをさらに細径化するマイクロバブル発生手段を設けたものである。
【００１１】
前記構成により、マイクロバブル発生手段により細径化されたマイクロバブルを含む洗浄水が顔に直接当たって洗顔するため、洗顔やメイク落としが効率よく行える上、毛穴に溜まった汚れ等も効果的に除去することができる。
【００１２】
本発明の洗顔器は、マイクロバブル発生装置の洗浄水吐出口に、ワンタッチジョイントを介してシャワーヘッドを着脱自在に接続できるようにしたものである。
【００１３】
前記構成により、シャワーヘッドよりシャワー状に噴出される洗浄水により顔の一部をマッサージすることができる上、シャワーヘッドより噴出される洗浄水を直接鼻や口付近に当てずに洗顔やマッサージを行うことができると共に、洗顔やマッサージに使用した洗浄水が周囲に飛散することもないため、洗顔器の周囲を濡らす心配も少ない。
【００１４】
本発明の洗顔器は、ワンタッチジョイントを介してマイクロバブル発生装置に接続された噴射ノズルの自重や洗面器に溜められた洗浄水の重量、またはシャワーヘッドの自重によりワンタッチジョイントを中心に噴射ノズルや洗面器、シャワーヘッドが回転するのを阻止するブラケットをワンタッチジョイントの近傍に設けたものである。
【００１５】
前記構成により、ワンタッチジョイントにより噴射ノズルやシャワーヘッドを交換自在としても、ワンタッチジョイントを中心に噴射ノズルや洗面器、シャワーヘッドが不用意に回転することがないため、使い勝手が大変よい。
【発明の効果】
【００１６】
本発明の洗顔器によれば、シャワーで洗顔したり洗面器に溜めた洗浄水に顔を浸漬して洗顔する等、使用者の好みや目的に応じた洗顔方法が自由に選択できる上、シャワー状に噴出される洗浄水によるマッサージ作用により美容効果が得られる。
また環状部より噴出される洗浄水は直接鼻付近に当たることがないことから、洗顔中に呼吸が妨げられることがないため連続的に洗顔することができ、これによって洗顔時間の短縮が図れると共に、顔全体を洗顔した洗浄水は、水タンク内へ回収された後再びマイクロバブル発生装置へと吸入されて繰り返し洗顔に利用することができ、洗浄水が無駄に消費されることがないため経済的である。
【図面の簡単な説明】
【００１７】
【図１】本発明の実施の形態になる洗顔器の断面図である。
【図２】本発明の実施の形態になる洗顔器の本体部分の平面図である。
【図３】本発明の実施の形態になる洗顔器の洗顔部分の分解断面図である。
【図４】本発明の実施の形態になる洗顔器の噴射ノズル部分の断面図である。
【図５】本発明の実施の形態になる洗顔器のマイクロバブル発生手段付近の側面図である。
【図６】本発明の実施の形態になる洗顔器のマイクロバブル発生手段付近の平面図である。
【図７】本発明の実施の形態になる洗顔器のマイクロバブル発生手段の断面図である。
【図８】本発明の実施の形態になる洗顔器のシャワーヘッド部分の側面図である。
【図９】本発明の実施の形態になる洗顔器の使用例を示す説明図である。
【図１０】本発明の実施の形態になる洗顔器の使用例を示す説明図である。
【図１１】本発明の実施の形態になる洗顔器の使用例を示す説明図である。
【発明を実施するための形態】
【００１８】
本発明の実施の形態を、図面を参照して詳述する。
図１に示す洗顔器は、洗顔器本体１とマイクロバブル発生装置２とからなる。
洗顔器本体１は、上面が開口するほぼ半球状のボウル部３ａと、ボウル部３ａの下部に連接された筒状部３ｂとからなる洗浄水受け３有していて、ボウル部３ａの開口縁は手前側が低くなるように傾斜されており、洗浄水受け３下部の筒状部３ｂは、水タンク４の上部開口に上方から着脱自在に嵌合されている。
水タンク４は、卓上に安定した状態で設置できるように底面が平坦な有底筒状となっていて、内部に水道水等の洗浄水が十分に溜められる容積を有しており、洗浄水受け３のボウル部３ａと筒状部３ｂの境界に突設された突起３ｃに水タンク４の上縁部が当接されて、洗浄水受け３を下方から支持する構造となっている。
洗浄水受け３の内部には、使用者の顔面に向けて洗浄水を噴射する噴射ノズル５と、洗浄水を溜める洗面器６が設けられている。
【００１９】
噴射ノズル５は、金属パイプを図２に示すように洗浄水受け３の開口形状とほぼ類似するほぼ楕円形に成形することにより形成された環状部５ａと、環状部５ａの中心を挟んで対向する位置に両端部が連接されたほぼＵ字形の給水路５ｂとからなり、環状部５ａの上面には、図４に示すように垂線に対し環状部５ａの中心方向へ角度θ傾斜させて噴出孔５ｃが円周方向にほぼ等間隔で多数穿設されており、噴出孔５ｃの傾斜角度θは約５°程度となっている。
なお噴射ノズル５全体を、前記形状となるように樹脂により成形するようにしてもよい。
【００２０】
環状部５ａへ洗浄水を供給する給水路５ｂの中間部には、上部側に給水口５ｄが、そして下部側にソケット８を接続する接続口５ｅが設けられており、給水口５ｄには、洗面器６の底部に設けられた給水口６ａが上方より着脱自在に嵌合できるようになっている。
洗面器６は、金属薄板や樹脂により上面が開口したほぼ皿状に成形されていて、内部に顔を浸漬するのに十分な量の洗浄水が溜められるようになっており、噴射ノズル５の上方より図１に示すように環状部５ａに嵌合することにより、底部に突設された給水口６ａが給水路５ｂの給水口５ｄに水密に嵌合されるようになっている。
【００２１】
また噴射ノズル５の環状部５ａに洗面器６を嵌合した際、洗面器６の周縁部６ｂが環状部５ａにより下方から支持されるようになっており、このとき図２に示すように環状部５ａの上面に穿設された噴出孔５ｃを洗面器６の周縁部６ｂが塞がないように洗面器６の外周サイズが設定されていると共に、洗面器６の底部には、図３に示すように給水口６ａと隣接するように排水口６ｃが設けられている。
給水口６ａと排水口６ｃの口径は同一となっていて、１個の栓体７を給水口６ａまたは排水口６ｃに選択的に嵌合することにより、給水口６ａと排水口６ｃを選択的に閉鎖できるようになっており、栓体８により給水口６ａを閉鎖すると、噴射ノズル５の噴出孔５ｃより洗浄水が噴射できると共に、栓体７により排水口６ｃを閉鎖することにより、ソケット８ａ及びエルボ８ｂよりなる給水管８により接続口５ｅへ供給された洗浄水を洗面器６内へ溜められるようになっている。
【００２２】
一方、噴射ノズル５の下部に設けられた給水口５ｄには、給水管８を介してマイクロバブル発生手段１０が接続されている。
マイクロバブル発生手段１０は、マイクロバブル発生装置２により洗浄水中に発生されたマイクロバブルをさらに細径化するもので、図７に示すように筒状の主部１０ａと、主部１０ａの開口部を閉鎖するように螺着された蓋体１０ｂとからなり、主部１０ａの一端側には、ワンタッチジョイント１２の嵌合部１２ａに液密に嵌合自在な流入口１０ｃが突設されている。
マイクロバブル発生手段１０の主部１０ａ内には、同一円上に例えば３個の小孔１０ｄが穿設されたノズル部材１０ｆが設けられていて、流入口１０ｃより流入する洗浄水が小孔１０ｄを通過する際、洗浄水に混入されたマイクロバブルがさらに細径化されるようになっており、ノズル部材１０ｆにより細径化されたマイクロバブルが混入する洗浄水は、主部１０ａと蓋体１０ｂとの境界に設けられたメッシュ１０ｇを通過する際、洗浄水内にマイクロバブルが均一に混合された状態となってマイクロバブル発生手段１０の流出口１０ｅより排出されるようになっている。
【００２３】
ワンタッチジョイント１２は、噴射ノズル５側に接続されたマイクロバブル発生手段１０とマイクロバブル発生装置２との間をワンタッチで脱着自在とするもので、マイクロバブル発生手段１０より突設された流入口１０ｃが嵌合する嵌合部１２ａに、流入口１０ｃの外周部に係脱自在に係合する複数の鋼球とシール部材（何れも図示せず）が設けられていて、嵌合部１２ａに流入口１０ｃを押し込むことにより両者が結合され、嵌合部１２ａの外周部に設けられた解放リング１２ｂをマイクロバブル発生装置２側へ移動させることにより、ワンタッチジョイント１２よりマイクロバブル発生手段１０が取り外せるようになっている。
マイクロバブル発生手段１０の嵌合部１２ａと反対側の端部は、マイクロバブル発生装置２の洗浄水吐出口２ａに接続されていて、マイクロバブル発生装置２より吐出される洗浄水がマイクロバブル発生手段１０へ吐出されるようになっており、マイクロバブル発生装置２の洗浄水吐出口２ａには、ブラケット１３の一端側が固着されている。
【００２４】
ブラケット１３は、ワンタッチジョイント１２を介してマイクロバブル発生装置２に接続された噴射ノズル５の自重や、洗面器６に溜められた洗浄水の重量によりマイクロバブル発生ノズル１０の流入口１０ｃを中心に噴射ノズル５や洗面器６が回転するのを阻止するもので、図５及び図６に示すようにマイクロバブル発生手段１０とワンタッチジョイント１２の下側に沿うように設けられており、一端側に設けられた挟着部１３ａにより洗浄水吐出口２ａを上下方向から挟着することにより、ブラケット１３の一端側がマイクロバブル発生装置２の洗浄水吐出口２ａに固着されている。
ブラケット１３の他端側には、マイクロバブル発生手段１０を下方から支持するほぼコ字形の受け部１３ｂが形成されていて、この受け部１３ｂの上面にマイクロバブル発生手段１０の主部１０ａ外周面に突設されたストッパ１０ｈが当接することにより、マイクロバブル発生ノズル１０の流入口１０ｃを中心に噴射ノズル５や洗面器６が回転するのを阻止するようになっている。
【００２５】
マイクロバブル発生手段２は、内部にモータのような駆動源により回転駆動される水ポンプ（何れも図示せず）が設けられており、水ポンプに接続された洗浄水吸入口２ｂ側は、開閉弁１４を介して吸水管１５の一端に接続されている。
吸水管１５は屈曲自在な可撓管より形成されていて、他端側に設けられたフィルタ１６が水タンク４に溜められた洗浄水内に浸漬するようほぼ逆Ｌ字形に屈曲されており、フィルタ１６により濾過された洗浄水がマイクロバブル発生装置２内に吸入されるようになっている。
マイクロバブル発生装置２内には、水ポンプが水タンク４内より吸入した洗浄水内に空気をミキシングして、洗浄水内にマイクロバブルを発生させるミキシング手段（図示せず）が設けられている。
なお洗浄水内に空気をミキシングして、洗浄水内にマイクロバブルを発生させる方法については既に公知となっているため、その説明は省略する。
【００２６】
一方洗顔方法の一つとして、シャワーにより顔の一部を洗顔するためのシャワーヘッド１７が予め用意されている。
シャワーヘッド１７は図８に示すように、洗浄水をシャワー状に噴出する吐水口１７ａと、屈曲自在で、かつ曲げた状態が維持できる可撓管１７ｂとからなり、可撓管１７ｂの一端側は、噴射ノズル５の下部に設けられた給水口５ｄに接続したものと同様なマイクロバブル発生手段１０が給水管８を介して接続されている。
【００２７】
次に前記構成された洗顔器の使用方法を説明する。
本発明の洗顔器では、洗顔方法が次の３通りの方法から選択できるようになっている。
その一つは、噴射ノズル５の環状部５ａに穿設された多数の噴出孔５ｃより洗浄水をシャワー状に噴出させて、顔全体を洗浄する方法である。
この洗顔方法を実施するには、洗面器４の底部に形成された給水口６ａと排水口６ｃのうち、給水口６ａ側に栓体７を嵌合して給水口６ａを閉鎖し、この状態で吸水管１５に設けられた開閉弁１４を開放したらマイクロバブル発生装置２の運転を開始する。
マイクロバブル発生装置２の運転開始と共に、マイクロバブル発生装置２に設けられた水ポンプがフィルタ１６を介して水タンク４内の洗浄水を吸入し、マイクロバブル発生装置２内で洗浄水にマイクロバブルが混入される。
【００２８】
マイクロバブルが混入された洗浄水は、マイクロバブル発生装置２の洗浄水吐出口２ａよりマイクロバブル発生手段１０へと流入され、マイクロバブル発生手段１０内のノズル部材１０ｆに設けられた小孔１０ｄを通過する際にさらにマイクロバブルが細径化される。
ノズル部材１０ｆにより細径化されたマイクロバブルを含む洗浄水は、給水管８より噴射ノズル５の給水口５ｄより給水路５ｂを経て環状部５ａへと給水され、環状部５ａの上面に穿設された多数の噴出孔５ｃより図９に示すように上方へとシャワー状に噴出される。
洗顔器の使用者は、噴射ノズル５より洗浄水がシャワー状に噴出されたら、洗浄水を顔に吹き付けて洗顔を行うもので、洗浄水中に細径化されたマイクロバブルが混入されているため、顔全体のメイク落としが効率よく行える上、毛穴に溜まった汚れ等も効果的に除去することができる。
【００２９】
またシャワー状に噴出される洗浄水によるマッサージ作用により美容効果が得られると共に、環状部５ａより噴出される洗浄水は、直接鼻付近に当たることがないので洗顔中に呼吸が妨げられることもなく、これによって連続的に洗顔することができるため、洗顔時間の短縮も図れるようになる。
顔全体を洗顔した洗浄水は、洗面器６内に落下した後排水口６ｃより水タンク４内へ回収され、その後吸水管１５に設けられたフィルタ１６により汚れが除去されて再びマイクロバブル発生装置２へと吸入されて繰り返し洗顔に利用されるため、新たに洗浄水を補給する必要がなく経済的である。
【００３０】
以上は噴射ノズル５の環状部５ａに穿設された多数の噴出孔５ｃより洗浄水をシャワー状に噴出させて、顔全体を洗浄する方法であるが、洗面器６に溜めた洗浄水に顔を浸漬して洗顔する方法を採用することもできる。
この洗顔方法を実施するには、洗面器４の底部に形成された給水口６ａと排水口６ｃのうち、給水口６ａ側に嵌合した栓体７を外して排水口６ｃ側に嵌合し、給水口６ａを開放する。
この状態でマイクロバブル発生装置２の運転開始すると、シャワーで洗顔するときと同様に、水タンク４内の洗浄水がマイクロバブル発生装置２の洗浄水吐出口２ａよりマイクロバブル発生手段１０へと流入され、マイクロバブル発生手段１０内のノズル部材１０ｆに設けられた小孔１０ｄを通過する際にさらにマイクロバブルが細径化される。
【００３１】
ノズル部材１０ｆにより細径化されたマイクロバブルを含む洗浄水は、給水管８より噴射ノズル５の給水口５ｄより給水路５ｂへ供給されるが、このとき洗面器６の給水口６ａが開放されているため、洗浄水は給水口６ａより洗面器６内へと流入し、洗面器６内に溜められる。
洗顔器の使用者は、洗面器６に洗顔に必要な量の洗浄水が溜まったら、洗面器６内の洗浄水に顔を図１０に示すように浸漬して洗顔を行うもので、給水口６ａより絶えず洗面器６内に流入する洗浄水中の細径化されたマイクロバブルが洗浄水に浸漬した顔全体に当たるため、顔全体のメイク落としが効率よく行える上、毛穴に溜まった汚れ等も効果的に除去することができる。
また洗面器６をオーバーフローした洗浄水は、洗浄水受け３の底部より水タンク４内に直接流入するため、洗面器６より溢れた洗浄水により洗顔器の周囲を濡らす心配もない。
【００３２】
一方噴射ノズル５の環状部５ａに穿設された多数の噴出孔５ｃより洗浄水をシャワー状に噴出させて顔全体を洗浄する方法及び洗面器６に溜められた洗浄水に顔を浸漬して洗顔する方法の他に、図１１に示すようにシャワーヘッド１７より噴出された洗浄水のシャワーにより顔の一部を局部的に洗顔する方法を次に説明する。
シャワーヘッド１７を使用するに当たっては、ワンタッチジョイント１２部分から噴射ノズル５及び洗面器６を取り外し、代わりに図８に示すシャワーヘッド１７に接続されたマイクロバブル発生手段１０の流入口１０ｃをワンタッチジョイント１２の嵌合部１２ａに嵌合する。
そしてこの状態でマイクロバブル発生装置２の運転開始すると、水タンク４内の洗浄水がマイクロバブル発生装置２の洗浄水吐出口２ａよりマイクロバブル発生手段１０へと流入され、マイクロバブル発生手段１０内のノズル部材１０ｆに設けられた小孔１０ｄを通過する際にさらにマイクロバブルが細径化される。
【００３３】
ノズル部材１０ｆにより細径化されたマイクロバブルを含む洗浄水は、可撓管１７ｂを介してシャワーヘッド１７へ供給され、シャワーヘッド１７のト吐水口１７ａよりシャワー状に噴出されるので、洗顔器の使用者は、シャワー状に噴出される洗浄水を洗顔したい顔の一部に局部的に吹き付けて洗顔を行うことにより、顔の部分メイク落としや顔の部分マッサージが効率よく行えるようになる。
またシャワー状に噴出される洗浄水により顔の一部をマッサージすることができる上、吐水面１７ａより噴出される洗浄水を直接鼻や口付近に当てずに洗顔やマッサージを行うことができると共に、洗顔やマッサージに使用した洗浄水は、洗浄水受け３の底部より水タンク４内に流入するため、洗顔やマッサージに使用した洗浄水により洗顔器の周囲を濡らす心配もない。
【符号の説明】
【００３４】
１    洗顔器本体
２    マイクロバブル発生装置
２ａ    洗浄水吐出口
３    洗浄水受け
３ａ    ボウル部
４    水タンク
５    噴射ノズル
５ａ    環状部
５ｂ    給水路
５ｃ    噴出孔
５ｅ    接続口
６    洗面器
１０    マイクロバブル発生手段
１２    ワンタッチジョイント
１３    ブラケット
１７    シャワーヘッド
【図１】
2012019825.tif 000003
【図２】
2012019825.tif 000004
【図３】
2012019825.tif 000005
【図４】
2012019825.tif 000006
【図５】
2012019825.tif 000007
【図６】
2012019825.tif 000008
【図７】
2012019825.tif 000009
【図８】
2012019825.tif 000010
【図９】
2012019825.tif 000011
【図１０】
2012019825.tif 000012
【図１１】
2012019825.tif 000013